(57)【要約】【課題】ボタンの取付も容易でボタンの固定、保持が十分に確保することが可能な押しボタンユニットを提供すること。【解決手段】電子機器の筐体に形成された貫通孔２４０より外部に露出するように配置された露出部４４が押されることで、筐体内部に配置されたスイッチ部材が押下される押しボタンユニット４０であって、露出部４４の裏面側に設けられた、筐体の貫通孔２４０よりも大きく外径方向に突出したフランジ部４２と、フランジ部４２から側方へ向けて設けられて、筐体に形成された係止部材２４２によって固定されることによって露出部４４が押されることに応じて弾性変形する一対の弾性片４３と、によって一体成形する。【選択図】図５
2014064074.tif 000002
【特許請求の範囲】
【請求項１】
電子機器の筐体に形成された貫通孔より外部に露出するように配置された露出部が押されることで、筐体内部に配置されたスイッチ部材が押下される押しボタンユニットにおいて、
前記露出部の裏面側に設けられた、前記筐体の貫通孔よりも大きく外径方向に突出したフランジ部と、
前記フランジ部から側方へ向けて設けられて、その端縁が前記筐体に形成された係止部材によって固定されることによって前記露出部が押されることに応じて弾性変形する一対の弾性片と、
によって一体成形されたことを特徴とする押しボタンユニット。
【請求項２】
前記弾性片は、Ｕ字形状をなし、その先端には前記筐体に係止部材として設けられたストッパー用突出部と係止される凹部を有する脚部が設けられていることを特徴とする請求項１に記載の押しボタンユニット。
【請求項３】
前記弾性片は、前記端縁が前記筐体の内壁に形成された係止部材によって嵌合されるように前記フランジ部と略同一平面をなすように設けられていることを特徴とする請求項１に記載の押しボタンユニット。
【請求項４】
前記押しボタンユニットは、前記露出部が前記筐体の内壁側より前記貫通孔内に嵌合されるように前記電子機器に組込まれ、前記一対の弾性片が前記係止部材によって固定されることを特徴とする請求項１〜３の何れか１項に記載の押しボタンユニットを使用した電子機器。
【発明の詳細な説明】
【技術分野】
【０００１】
本発明は、押しボタンユニットの取付構造に関するもので、特に、ボタンの取付も容易でボタンの固定、保持が十分に確保することが可能な押しボタンユニット及びそれを使用した電子機器に関するものである。
【背景技術】
【０００２】
一般に、電子機器には、前記電子機器の操作するための押しボタンが備えられている。前記押しボタンは、一部が前記電子機器の筐体に形成された貫通孔より外部に露出するように配置される。前記押しボタンの露出部が押されることで、筐体内部に配置されている部分が基板上に配置されたスイッチが押下される。
【０００３】
例えば、下記特許文献１（特開２０１０−０９８６７４号公報）は、サイドキーボタンには、キートップ部とは反対側に、両脇に張り出す基部を備えられており、筐体には、サイドキーボタンの押し込みを規制するリブが形成されており、リブは、サイドキーボタンが押下された際に基部と当接する部分が撓むことにより、リブと基部とが当接した後もサイドキーボタンを所定量押し込み可能とする「サイドキーボタン実装構造及びこれを備えた携帯端末」を開示している。
【先行技術文献】
【特許文献】
【０００４】
【特許文献１】特開２０１０−０９８６７４号公報
【発明の概要】
【発明が解決しようとする課題】
【０００５】
しかしながら、上記特許文献１に開示された実装構造においては、キーボタンの押し込みを規制するために筐体に形成されるリブはキーボタンが押下されて基部と当接する部分が撓むように構成されているため、キーボタンを強く押し込むと基部がリブから外れてキーボタンが開口部内に深く入り込んでスイッチが常時押圧された状態になる虞れがある。
【０００６】
また、上記特許文献１に開示された実装構造では、キーボタンを押し込むためにキーボタンがリブに干渉するまでの距離であるキーボタンのストロークを設ける必要があるが、このストロークを設けるとキーボタンを筐体に実装する際のボタンの位置決めが難しくなり、組立作業に手間がかかるという問題点もあった。
【０００７】
従って、本発明の目的は、ボタンの取付も容易でボタンの固定、保持が十分に確保することが可能な押しボタンユニットを提供することである。
【課題を解決するための手段】
【０００８】
本発明の押しボタンユニットは、電子機器の筐体に形成された貫通孔より外部に露出するように配置された露出部が押されることで、筐体内部に配置されたスイッチ部材が押下される押しボタンユニットであって、前記露出部の裏面側に設けられた、前記筐体の貫通孔よりも大きく外径方向に突出したフランジ部と、前記フランジ部から側方へ向けて設けられて、その端縁が前記筐体に形成された係止部材によって固定されることによって前記露出部が押されることに応じて弾性変形する一対の弾性片と、によって一体成形されたことを特徴とする。
【０００９】
さらに、本発明の押しボタンユニットの一態様においは、前記弾性片は、Ｕ字形状をな
し、その先端には前記筐体に係止部材として設けられたストッパー用突出部と係止される凹部を有する脚部が設けられていることを特徴とする。
【００１０】
また、本発明の押しボタンユニットの一態様においは、前記弾性片は、前記端縁が前記筐体の内壁に形成された係止部材によって嵌合されるように前記フランジ部と略同一平面をなすように設けられていることを特徴とする。
【００１１】
また、本発明の電子機器は、上記の押しボタンユニットを使用した電子機器であって、前記押しボタンユニットは、前記露出部が前記筐体の内壁側より前記貫通孔内に嵌合されるように前記電子機器に組込まれ、前記一対の弾性片が前記係止部材によって固定されることを特徴とする。
【発明の効果】
【００１２】
本発明の押しボタンユニットによれば、以下の優れた効果を発揮する。すなわち、電子機器の筐体に形成された貫通孔より外部に露出するように配置された露出部の裏面側に設けられた、前記筐体の貫通孔よりも大きく外径方向に突出したフランジ部と、前記フランジ部から側方へ向けて設けられて、その端縁が前記筐体に形成された係止部材によって固定されることによって前記露出部が押されることに応じて弾性変形する一対の弾性片と、によって一体成形されている。これにより、一対の弾性片のバネ性を利用し、筐体に形成された係止部材との取付を容易にするとともに、一対の弾性片の端縁が係止部材によって固定されるので押しボタンユニットを強く押し込んでも筐体から外れることなく簡単な構成によって押しボタンユニットを電子機器の筐体に固定することができるようになる。
【００１３】
さらに、本発明の押しボタンユニットの一態様によれば、前記弾性片は、Ｕ字形状をなし、その先端には前記筐体に係止部材として設けられたストッパー用突出部と係止される凹部を有する脚部が設けられている。この発明によれば、一対の弾性片のバネ性を利用し、筐体に形成された係止部材との取付を容易にするとともに、係止部材として設けられたストッパー用突出部と脚部に設けられた凹部を位置決めのために用いることによって位置出しを行うことができるようになる。
【００１４】
また、本発明の押しボタンユニットの一態様によれば、前記弾性片は、前記端縁が前記筐体の内壁に形成された係止部材によって嵌合されるように前記フランジ部と略同一平面をなすように設けられている。この発明によれば、一対の弾性片のバネ性を利用し、筐体に形成された係止部材との嵌合を容易にするとともに、一対の弾性片の端縁が係止部材によって固定されるので押しボタンユニットを強く押し込んでも筐体から外れてしまうことを防止できる。
【００１５】
また、本発明の電子機器によれば、上述の押しボタンユニットが、前記露出部が前記筐体の内壁側より前記貫通孔内に嵌合されるように前記電子機器に組込まれ、前記一対の弾性片が前記係止部材によって固定される。このような構造によって、一対の弾性片のバネ性を利用し、筐体に形成された貫通孔への押しボタンユニットの取付を容易にするとともに、押しボタンユニットを強く押し込んでも筐体から外れることなく押しボタンユニットを電子機器の筐体に固定できるようになる。
【図面の簡単な説明】
【００１６】
【図１】実施例の情報表示端末装置を斜め前方から見た外観斜視図である。
【図２】図１の情報表示端末装置からスタンドを外した状態で斜め後方から見た外観斜視図である。
【図３】図２の情報表示端末装置を分解した状態を示す分解斜視図である。
【図４】前面ハウジングにおいて実施例１の電源スイッチの部分を抜き出した拡大図である。
【図５】実施例１の電源スイッチの部分を分解した状態を示す分解斜視図である。
【図６】実施例２の前面ハウジングにおいて実施例２の電源スイッチの部分を抜き出した拡大図である。
【図７】実施例２の電源スイッチの部分を分解した状態を示す分解斜視図である。
【発明を実施するための形態】
【００１７】
以下、本願発明を実施するための最良の形態を実施例とともに図面を参照して詳細に説明する。ただし、以下に示す実施形態は、本発明の技術思想を具体化するための押しボタンユニット及びこれを使用した電子機器として情報表示端末装置を例示して説明するものであって、本発明をこの情報表示端末装置に特定することを意図するものではなく特許請求の範囲に示した技術思想を逸脱することなくその他の押しボタンユニット及びこれを使用した電子機器にも等しく適用し得るものである。
【実施例１】
【００１８】
図１〜図５を参照して本実施例の情報表示端末装置について説明する。なお、図１は、実施例の情報表示端末装置を斜め前方から見た外観斜視図であり、図２は、図１の情報表示端末装置からスタンドを外した状態で斜め後方から見た外観斜視図であり、図３は、図２の情報表示端末装置を分解した状態を示す分解斜視図であり、図４は、前面ハウジングにおいて実施例１の電源スイッチの部分を抜き出した拡大図であり、図５、実施例１の電源スイッチの部分を分解した状態を示す分解斜視図である。
【００１９】
本実施例に係る情報表示端末装置１０は、図１に示すように、扁平で矩形の形状である筺体２０と、筺体２０の背面底部に着脱可能に設けられたスタンド３０とからなる。筺体２０の前面ハウジング２０１には表示パネル２１が配置されている。また、スタンド３０は、情報表示端末装置１０を卓上に載置して使用する場合に、表示パネル２１が見やすくするために情報表示端末装置１０を所定の角度に傾け、かつ安定して情報表示端末装置１０を支持できるように設けられている。また、スタンド３０の底辺には、端寄りに夫々突起３１が配されている。
【００２０】
また、図２で示すように、情報表示端末装置１０は筺体２０の側面に電源スイッチ２２と入出力ポート２３が設けられている。電源スイッチ２２は、押下することにより主電源のスイッチをオンあるいはオフさせて外部電源や内部電源からの電源供給を制御する。入出力ポート２３は、ＵＳＢポート２３１、オーディオ出力ジャック２３２、ＳＤカードスロット２３３を備えている。
【００２１】
ＵＳＢポート２３１は、図示しないＵＳＢケーブルを介して外部機器（図示せず）と接続するために設けられている。オーディオ出力ジャック２３２は、ヘッドホン（図示せず）を接続可能に構成されている、ＳＤカードスロット２３３は、外部記録媒体であるＳＤカード（図示せず）を挿入して接続可能に構成されている、情報表示端末装置１０はＳＤカードを挿入することでＳＤカードに記憶された動画情報を読み出して表示パネル２１に動画を表示するといったことが可能である。
【００２２】
また、情報表示端末装置１０の筺体２０には、電源コネクタ２４が設けられており、ＡＣ電源に接続された充電用プラグ（図示せず）が挿入されるようになっている。情報表示端末装置１０内にはＡＣ電源から供給された電圧を直流電圧に変換して電池パック（図示せず）内の電池を充電するための充電回路が内蔵されている。
【００２３】
図３に示すように、筐体２０は、前面ハウジング２０１と背面ハウジング２０２、これらハウジング内部に設置されるホルダ２０３を備えて構成される。ホルダ２０３は、図示
しない液晶ユニット、及び、この情報表示端末装置１０の動作を制御する制御回路基板、電源スイッチ２２の制御を行うためのスイッチ部材とスイッチ用制御基板を備えている。液晶ユニット、制御回路基板、及びスイッチ用制御基板はそれぞれフレキシブルプリント基板（図示せず）からなる配線によって接続されている。
【００２４】
前面ハウジング２０１は、液晶ユニットを構成する表示パネル２１を表面に臨ませる矩形の表示パネル用開口部２３４、内部空間に嵌め込まれたホルダ２０３を固定するための複数のボス２３５、背面ハウジング２０２と一体化するための複数の連結突起２３６が形成されている。
【００２５】
ホルダ２０３は、ボス２３５に対応する位置にネジ穴２３７が形成されており、背面ハウジング２０２には、前面ハウジング２０１と一体化するたに連結突起２３６に対応する位置に連結突起２３６を係合させる係合溝（図示せず）が形成されている。
【００２６】
また、ホルダ２０３には、制御回路基板が載置される基板載置部２３８と、スイッチ用制御基板が載置される基板載置部２３９が形成されている。さらに、ホルダ２０３の裏側には、図示しない支持部が設けられ、液晶ユニットが取付けられる。
【００２７】
図４、図５に示すように、電源スイッチ２２は、前面ハウジング２０１内部に設置される押しボタンユニット４０を備えて構成される。図５において押しボタンユニット４０は、前面ハウジング２０１に設けられた貫通孔２４０よりも大きく外径方向に突出したフランジ部４２を有する平板状の立脚部４１と、フランジ部４２から側方へ向けて一対の弾性片４３が形成されるとともに、立脚部４１には前面ハウジング２０１から露出するキーボタン４４が設けられ、その裏面には略十字型のボス４５が設けられている。
【００２８】
一対の弾性片４３は逆さＵ字形状をなし、その両端は前面ハウジング２０１の裏面に設けられたストッパー用突出部２４２と係止される凹部を有する脚部４６が設けられている。押しボタンユニット４０は両脚部４６によって自立可能となっている。また、これら立脚部４１、フランジ部４２、弾性片４３、キーボタン４４、ボス４５および脚部４６はアクリロニトリルブタジエンスチレン（ＡＢＳ）樹脂等の合成樹脂を用いて一体成形されている。
【００２９】
一方、前面ハウジング２０１には、キーボタン４４が挿入される貫通孔２４０が設けられており、また、押しボタンユニット４０を配置するための載置凹部２４１が設けられており、載置凹部２４１内には押しボタンユニット４０を受け止めるためのストッパー用突出部２４２が立設されている。
【００３０】
図４において押しボタンユニット４０のキーボタン４４が押圧されると、押しボタンユニット４０の弾性片４３によりキーボタン４４の裏面に設けられたボス４５がハウジング内部に設置されるホルダ２０３に設けられたスイッチ部材（図示せず）を押すことによりスイッチ動作が行なわれる。この時、押しボタンユニット４０は前面ハウジング２０１の載置凹部２４１に完全に載置されているので、キーボタン４４の押圧に対してストッパー用突出部２４２が機能して位置ずれを起こすことはなく、また弾性片４３により十分なバネ性を引き出すことができる。
【００３１】
以上、説明したとおり、本実施例では、押しボタンユニット４０は、情報表示端末装置１０の筐体である前面ハウジング２０１に形成された貫通孔２４０より外部に露出するように配置されたキーボタン４４の裏面側に設けられた、貫通孔２４０よりも大きく外径方向に突出したフランジ部４２と、フランジ部４２から側方へ向けて設けられて、その端縁にある脚部４６が前面ハウジング２０１に形成されたストッパー用突出部２４２によって
固定されることによってキーボタン４４が押されることに応じて弾性変形する一対の逆さＵ字形状の弾性片４３と、によって一体成形されている。
【００３２】
そうすることにより、一対の弾性片のバネ性を利用し、前面ハウジング２０１に形成されたストッパー用突出部２４２との取付を容易にするとともに、一対の弾性片の端縁にある脚部４６がストッパー用突出部２４２によって固定されるので押しボタンユニット４０を強く押し込んでも前面ハウジング２０１から外れることなく簡単な構成によって押しボタンユニット４０を前面ハウジング２０１に固定することが可能となる。
【実施例２】
【００３３】
図６及び図７を参照して実施例２の電源スイッチについて説明する。なお、図６は、実施例２の前面ハウジングにおいて実施例２の電源スイッチの部分を抜き出した拡大図であり、図７、実施例２の電源スイッチの部分を分解した状態を示す分解斜視図である。
【００３４】
図６、図７に示すように、電源スイッチ２２’は、前面ハウジング２０１’内部に設置される押しボタンユニット５０を備えて構成される。図７において押しボタンユニット５０は、前面ハウジング２０１’に設けられた貫通孔２４０’よりも大きく外径方向に突出したフランジ部５２を有する平板部５１と、フランジ部５２から側方へ向けて一対の弾性片５３が形成されるとともに、平板部５１には前面ハウジング２０１’から露出するキーボタン５４（図示せず）が設けられ、その裏面には略Ｉ字型のボス５５が設けられている。
【００３５】
一対の弾性片５３は略環状をなし、その両端は前面ハウジング２０１’の内壁に設けられた固定片２４１’によって嵌合される凸部５６および固定片２４１’の端部と当接する係止部５７が設けられている。また、これら平板部５１、フランジ部５２、弾性片５３、キーボタン５４、ボス５５、凸部５６および係止部５７はアクリロニトリルブタジエンスチレン（ＡＢＳ）樹脂等の合成樹脂を用いて一体成形されている。
【００３６】
一方、前面ハウジング２０１’には、キーボタン５４が挿入される貫通孔２４０’が設けられており、また、押しボタンユニット４０を配置するための固定片２４１’が設けられており、固定片２４１’は押しボタンユニット４０を固定するために凸部５６が嵌入できる溝空間を前面ハウジング２０１’の内壁との間に形成するように設けられている。
【００３７】
図６において押しボタンユニット５０のキーボタン５４が押圧されると、押しボタンユニット５０の弾性片５３によりキーボタン５４の裏面に設けられたボス５５がハウジング内部に設置されるホルダ２０３に設けられたスイッチ部材（図示せず）を押すことによりスイッチ動作が行なわれる。この時、押しボタンユニット５０は前面ハウジング２０１’の固定片２４１’によって固定されているので、キーボタン５４の押圧に対して凸部５６および係止部５７が機能して位置ずれを起こすことはなく、また弾性片４３により十分なバネ性を引き出すことができる。
【００３８】
以上、説明したとおり、本実施例では、押しボタンユニット５０は、情報表示端末装置１０の筐体である前面ハウジング２０１’に形成された貫通孔２４０’より外部に露出するように配置されたキーボタン５４の裏面側に設けられた、貫通孔２４０’よりも大きく外径方向に突出したフランジ部５２と、フランジ部５２から側方へ向けて設けられて、その端縁にある凸部５６が前面ハウジング２０１に形成されたス固定片２４１’によって固定されることによってキーボタン５４が押されることに応じて弾性変形する一対の略環状の弾性片５３と、によって一体成形されている。
【００３９】
そうすることにより、一対の弾性片のバネ性を利用し、前面ハウジング２０１’に形成
された固定片２４１’との取付を容易にするとともに、一対の弾性片の端縁にある凸部５６が固定片２４１’によって固定されるので押しボタンユニット５０を強く押し込んでも前面ハウジング２０１’から外れることなく簡単な構成によって押しボタンユニット５０を前面ハウジング２０１’に固定することが可能となる。
【００４０】
なお、上記実施例においては、押しボタンユニットを情報表示端末装置に適用した場合を説明したが、本発明はこれに限られず、他の電子機器に応用することが可能である。
【符号の説明】
【００４１】
１０      情報表示端末装置
２０      筐体
２１      表示パネル
２２、２２’    電源スイッチ
２３      入出力ポート
２４      電源コネクタ
２０１、２０１’    前面ハウジング
２０２    背面ハウジング
２０３    ホルダ
２３１    ＵＳＢポート
２３２    オーディオ出力ジャック
２３３    ＳＤカードスロット
２３４    表示パネル用開口部
２３５    ボス
２３６    連結突起
２３７    ネジ穴
２３８、２３９    基板載置部
２４０、２４０’    貫通孔
２４１    載置凹部
２４１’  固定片
２４２    ストッパー用突出部
３０      スタンド
３１      突起
４０、５０      押しボタンユニット
４１      立脚部
４２、５２      フランジ部
４３、５３      弾性片
４４、５４      キーボタン
４５、５５      ボス
４６      脚部
５１      平板部
５６      凸部
５７      係止部
【図１】
2014064074.tif 000003
【図２】
2014064074.tif 000004
【図３】
2014064074.tif 000005
【図４】
2014064074.tif 000006
【図５】
2014064074.tif 000007
【図６】
2014064074.tif 000008
【図７】
2014064074.tif 000009